(57)【特許請求の範囲】
【請求項１】
左右の縦材と、左右の縦材間に固定する横材と、取付金具とを備え、左右の縦材は互いに対向する側面に各々取付金具を固定してあり、取付金具は対向する取付金具側に向けて突設する突設部を有し、横材は中空を有すると共に横材の中空を上下に仕切る中壁を有し、横材の両端部には各々外周壁の上面を切除した切除部が形成してあり、切除部の幅は取付金具の突設部の幅よりも狭くしてあり、取付金具の突設部と横材の中壁の上面とを上下に重ね合わせて、切除部から挿入して止めるねじで上から固定してあることを特徴とする建築構造体。
【発明の詳細な説明】
【技術分野】
【０００１】
本発明は、左右の縦材間に横材を取付けた構造の建築構造体に関する。
【背景技術】
【０００２】
非特許文献１には、図７に示すように、左右の縦材１０１の対向する側面に各々取付金具１０３、１０３を固定して、取付金具１０３、１０３間に横材１０５を固定することが開示されている。この従来技術では、取付金具１０３、１０３は各々対向する側に突設する突設部１０４を有し、横材１０５は中空１０９を有し、横材１０５の左右両端部には各々上面を切除した切除部１０７が設けてあり、切除部１０７を上に向けて切除部１０７から取付金具１０３の突設部１０４を横材１０５の中空１０９内に挿入して、横材１０５の下面１０８と取付金具１０３の突設部１０４とを重ね合わせて下から止めるねじ１１１で固定している。
【先行技術文献】
【非特許文献】
【０００３】
【非特許文献１】第２８頁「テラス  メニーウェル  １５００、３０００タイプ  施工要領書」三協立山アルミ株式会社  ２００９年２月発行
【発明の概要】
【発明が解決しようとする課題】
【０００４】
しかし、非特許文献１では、横材１０５を止めるねじ１１１の頭が下から見えるので外観を損なうという問題があった。
また、施工時には、作業者は横材１０５の切除部１０７から取付金具１０３の突設部１０４を中空１０９内に挿入して、取付金具１０３の突設部１０４と横材１０５の下面１０８を上下に重ね合わせたままねじ１１１で固定する必要があるので、横材１０５の配置から横材１０５の取付けまでを一度に行う必要がある為、作業し難いという問題があった。
【０００５】
そこで、本発明は、外観が良く、施工作業がし易い建築構造体の提供を目的とする。
【課題を解決するための手段】
【０００６】
請求項１に記載の発明は、左右の縦材と、左右の縦材間に固定する横材と、取付金具とを備え、左右の縦材は互いに対向する側面に各々取付金具を固定してあり、取付金具は対向する取付金具側に向けて突設する突設部を有し、横材は中空を有すると共に横材の中空を上下に仕切る中壁を有し、横材の両端部には各々外周壁の上面を切除した切除部が形成してあり、切除部の幅は取付金具の突設部の幅よりも狭くしてあり、取付金具の突設部と横材の中壁の上面とを上下に重ね合わせて、切除部から挿入して止めるねじで上から固定してあることを特徴とする建築構造体である。
【発明の効果】
【０００７】
請求項１に記載の発明によれば、施工時には、横材の切除部を取付金具の突設部の幅方向一端部に向けて、取付金具の突設部を横材の切除部から横材の中空内に挿入した後、横材を回転して横材の切除部を上方に向け、取付金具の突設部を上にして横材の中壁を重ね合わせた後、切除部から挿入したねじで上から固定する。
横材の中壁と取付金具の突設部とを切除部から挿入したねじで上から固定しているので、ねじの頭が下から見えないため、外観が良い。
切除部の幅は取付金具の突設部の幅よりも狭くしてあるので、横材の中空に取付金具の突設部を挿入して横材を回転して切除部を上に向けた後、ねじ止めする前に、作業者が横材から手を離しても左右の取付金具の突設部に横材の切除部を係止できるので、例えば、作業の途中に横材から手を放すこともでき、作業し易い。
取付金具の突設部の幅方向一端部から横材の切除部を挿入して回転し、切除部を上に向けているので、横材の幅寸法は取付金具の突設部の幅寸法の制限を受けないので、横材の幅を従来よりも小さくでき、横材の材料使用量を従来よりも低減できる。
【図面の簡単な説明】
【０００８】
【図１】本実施の形態にかかる建築構造体の図であり、図６に示すＡ−Ａ断面図である。
【図２】本実施の形態にかかる建築構造物の平面図である。
【図３】本実施の形態を示す図であり、縦材間に横材を取付ける施工手順を示す斜視図である。
【図４】本実施の形態を示す図であり、縦材間に横材を取付ける施工手順における取付金具と横材との関係を示す縦断面図である。
【図５】図１に示すＢ−Ｂ断面を横材を除いて示す断面図である。
【図６】本実施の形態にかかる建築構造体の斜視図である。
【図７】従来技術の図であり、（ａ）は従来の縦材と横材と施工手順を示す斜視図であり、（ｂ）は施工後の横材の断面図である。
【発明を実施するための形態】
【０００９】
以下に、添付図面の図１〜図６を参照して本発明の実施の形態を詳細に説明する。図６に示すように、本実施の形態に係る建築構造体１はテラスであり、支柱３と、支柱３の上端部に架設された桁５と、縦材（垂木）７と、縦材７、７間に取付けた横材（中桟）９とを備えており、縦材７にはパネル押さえ１１（図２及び図５参照）が設けてあり、縦材７、７間に配置したパネル１３をパネル押さえ１１で縦材７に固定している。
【００１０】
図１及び図５に示すように、左右に隣合う縦材７、７は、互いに対向する側面７ａに各々取付金具１５を固定してある。縦材７の側面７ａには溝１９が形成してあり、溝１９の底面に取付金具１５が固定されている。
取付金具１５は、図３及び図５に示すように、Ｌ字形状の板材であり、Ｌ字の一側部を固定部１５ａとして縦材７の側面７ａにねじ１７で固定してあり、他側部を突設部１５ｂとして縦材７の側面７ａから対向する取付金具１５に向けて突設して設けてある。
図５に示すように、取付金具１５の固定部１５ａには、縦材７側に突出した係合部２１が設けてあり、縦材７の溝１９の底面に形成してある被係合部２３に係合してある。
取付金具１５の突設部１５ｂには、ねじ挿通孔２５が形成してある。
【００１１】
図１及び図３に示すように、横材９は四角筒形状であり、中空２７を有すると共に横材９の長手方向に亘って中空２７内を上下に仕切る中壁２９が形成されている。中壁２９は幅方向の中央部の肉厚を厚くするように肉盛してある。
横材９の両端部には上面９ａを切除した切除部３１が形成してある。図１に示すように、切除部３１の幅Ｗ１は取付金具１５の突設部１５ｂの幅Ｗ２よりも狭くしてある。図３（ｂ）に示すように、横材９の上面９ａには、パネル１３の下面を受ける緩衝材３０を取付ける緩衝材取付部３２が形成されており、横材９の両端部において、各々緩衝材取付部３２を切除した切除部３１が形成されている。尚、緩衝材３０はゴム製であり、緩衝材取付部３２に横材９の端部から挿入し又は上から押し込んだ後に、緩衝材取付部３２をかしめて固定してある。
横材６の中壁２９は取付金具１５の突設部１５ｂの下に重ねてあり、切除部３１から挿入して止めるねじ３３で上から固定してある。
【００１２】
次に、本実施の形態にかかる建築構造体１の施工、作用効果について、説明する。
支柱３を立設して、支柱３に桁５を架設し、躯体側に設けた垂木掛け３５と桁５と間に縦材７を取付ける。
そして、隣合う縦材７、７間に横材９を取付けるが、横材９の取付けは次のように行う。
【００１３】
図５に示すように、隣合う縦材７、７が対向する各側面７ａの溝部１９の底面に取付金具１５の固定部１５ａを重ね合わせて、係合部２１と被係合部２３とを係合した後、ねじ１７で取付金具１５を縦材７に固定する。
次に、図３（ａ）に二点鎖線で示すように、横材９の切除部３１を取付金具１５の突設部１５ｂの幅方向一端部に向けて横材９を配置し、図３（ａ）及び図４（ａ）に示すように、取付金具１５の突設部１５ｂの幅方向一端部を横材９の切除部３１から横材９の中空２７内に挿入した後、図４（ｂ）及び（ｃ）に示すように、横材９を約９０度回転して、図３（ｂ）及び図４（ｄ）に示すように、横材９の切除部３１を上方に向ける。
切除部３１を上に向けた状態で、取付金具１５の突設部１５ｂは、横材９の切除部３１と略平行に位置しているが、切除部の幅Ｗ１は取付金具１５の突設部１５ｂの幅より小さいから、作業者が横材９から手を放しても図４（ｄ）に示すように、突設部１５ｂは切除部３１に係止するので、横材９が取付金具１５から外れることがない。
次に、図３（ｂ）及び図４（ｄ）、（ｅ）に示すように、取付金具１５に対して横材９を持ち上げて取付金具１５の突設部１５ｂを上にして横材９の中壁２９を下に重ね合わせた後、切除部３１から挿入したねじ３３で上から固定する。
【００１４】
本実施の形態によれば、横材９は中壁２９と取付金具１５の突設部１５ｂとを切除部３１から挿入したねじ３３で上から固定しているので、図７に示す従来技術のようにねじ１１１の頭が下から見えないため、外観が良い。
図１に示すように、切除部３１の幅Ｗ１は取付金具１５の幅Ｗ２よりも狭くしてあるので、取付金具１５の突設部１５ｂの幅方向一端部を横材９の切除部３１から中空２７内に挿入し、横材９を回転して切除部３１を上に向けた後、ねじ止めする前に、作業者が横材９から手を離しても、図４（ｄ）に示すように、左右の取付金具１５の突設部１５ｂに横材９の切除部３１を係止できるので、例えば、作業の途中に横材９から手を放してねじやドライバ等をとりにいくことができ、作業し易い。
取付金具１５の突設部１５ｂの幅方向一端部から横材９の切除部３１を挿入して回転し、切除部３１を上に向けているので、横材９の幅寸法は取付金具１５の突設部１５ｂの幅寸法の制限を受けないので、横材９の幅を従来よりも小さくでき、横材の材料使用量を従来よりも低減できる。
図１に示すように、中壁２９にはねじ３３を止める為のスリットやねじ挿通穴等を形成していないのでねじ３３を強固に固定することができる。更に、中壁は幅方向の中央部の肉厚を厚くするように肉盛してあるので、ねじ３３で固定金具１５の突設部１５ｂを固定する強度が高い。
図３（ｂ）に示すように、切除部３１は、緩衝材取付部３２の長手方向両端部を切除して形成しているので、斜め上から見た場合にも、中壁２９に固定したねじ３３の頭は緩衝材取付部３２に隠れて見え難い。
図５に示すように、縦材７の側面７ａには、溝１９が形成してあり、取付金具１５の固定部１５ａがこの溝１９内に収納されているので、図３（ａ）に示すように、横材９を回転して取付ける際に、取付金具１５の固定部１５ａと横材９の端部とが干渉し難く且つ隙間も生じ難い。
取付金具１５には係合部２１が設けてあり、縦材７の溝１９の底面に形成してある被係合部２３に係合しているので、固定金具１５を縦材７に固定する際の位置決めが容易であり、また固定金具１５を縦材にねじ１７で固定するときに縦材７に対して固定金具１５が回転するのを防止できる。
【００１５】
本発明は、上述した実施の形態に限らず、本発明の要旨を逸脱しない範囲で種々変形可能である。
例えば、本発明の建築構造体１はテラスに限らず、カーポート等の簡易建物の屋根に用いても良いし、壁やフェンス等でも良く、縦材間に横材を取付けるものであれば特に制限されない。
例えば、建築構造体１が壁の場合には、縦材７を支柱とし、縦材７、７間に上下に間隔をあけて横材９、９を配置して、上横材９の下面と下横材９の上面とに各々パネル挿入溝を形成しておき、左右の支柱７、７と上下の横材９、９との間にパネルを配置するものであっても良い。
また、建築構造体１がフェンスの場合には、縦材７を支柱とし、横材９を支柱７、７間に固定する横桟としても良い。
【符号の説明】
【００１６】
１    建築構造体
７    縦材
９    横材
１５  取付金具
１５ｂ  突設部
２７  中空
２９  中壁
３１  切除部
Ｗ１  切除部の幅
Ｗ２  取付金具の幅
【図１】
0005759864.tif 000002
【図２】
0005759864.tif 000003
【図３】
0005759864.tif 000004
【図４】
0005759864.tif 000005
【図５】
0005759864.tif 000006
【図６】
0005759864.tif 000007
【図７】
0005759864.tif 000008